(57)【要約】【課題】記録部によって印刷される方向と反対側に用紙をセットしてしまった場合は、用紙の意図しない面や指定されていない面に印刷されてしまい、用紙が無駄になってしまうという課題がある。【解決手段】揺動可能に備えられ、荷重機構２０を有するホッパー１１と、用紙を分離する分離パッド１７と、荷重機構２０と連動し、通信面Ｐ１ａが給送ローラー１３に接する状態で用紙Ｐ１が分離パッド１７を通過可能な第１の荷重Ｎ１と、宛名面Ｐ１ｂが給送ローラー１３に接する状態で用紙Ｐ１が分離パッド１７を通過可能な第２の荷重とを切り替えるプランジャー１６と、を備え、プランジャー１６は、用紙Ｐ１の給送が開始されると、荷重の状態と分離パッド１７の抵抗によって、用紙Ｐ１が分離パッド１７によって停止されるように設定される記録装置を提供する。【選択図】図６
2016117564.tif 000002
【特許請求の範囲】
【請求項１】
第１の面の摩擦係数が前記第１の面と反対側の第２の面の摩擦係数より大きい被記録媒体を給送ローラーによって記録部に給送する記録装置であって、
載置した前記被記録媒体を前記給送ローラーに対して接離する方向に揺動可能に備えられ、前記給送ローラーに接した前記被記録媒体に荷重を掛ける荷重機構を有する載置部と、
前記給送ローラーの給送方向における下流側に設けられ、重なった状態で給送された複数の前記被記録媒体から１枚の前記被記録媒体を分離する分離部と、
前記荷重機構と連動し、前記第１の面が前記給送ローラーに接する状態で前記被記録媒体が前記分離部を通過可能な第１の荷重と、前記第２の面が前記給送ローラーに接する状態で前記被記録媒体が前記分離部を通過可能な第２の荷重とを切り替える荷重切り替え機構と、を備え、
前記荷重切り替え機構による荷重と前記分離部の抵抗によって、前記被記録媒体が前記分離部で停止することを特徴とする記録装置。
【請求項２】
請求項１に記載の記録装置であって、
前記第１の荷重は、前記第２の荷重より小さく設定され、前記第２の面に記録をする際に、前記荷重機構によって前記第１の荷重に設定されているときは、前記第２の面が前記給送ローラーに接する状態で前記被記録媒体の給送が開始されると、前記被記録媒体が前記分離部によって停止することを特徴とする記録装置。
【請求項３】
請求項１または請求項２に記載の記録装置であって、
前記被記録媒体の前記給送方向における先端部が前記分離部を通過したか否かを検出する検出部と、
メッセージを表示する表示部と、
制御部と、を備え、
前記制御部は、前記検出部から取得した検出結果において、前記先端部が前記分離部を通過しなかったときは、前記第２の面が記録部によって記録される側に向いた姿勢で、前記被記録媒体が前記載置部に載置されていることを示すメッセージを前記表示部に表示させることを特徴とする記録装置。
【請求項４】
請求項３に記載の記録装置であって、
前記制御部は、前記第２の面に記録するときは、前記荷重切り替え機構を用いて、前記荷重機構によってかけられる前記荷重を、前記第１の荷重から前記第２の荷重に切り替えることを特徴とする記録装置。
【請求項５】
請求項１から請求項４のいずれか一項に記載の記録装置であって、
前記荷重の切り替えは、前記給送ローラーへの付勢力によって切り替えられることを特徴とする記録装置。
【発明の詳細な説明】
【技術分野】
【０００１】
本発明は、記録装置に関する。
【背景技術】
【０００２】
用紙（被記録媒体）に接触して給送する給送ローラーと、積層状態の用紙を保持して揺動可能なホッパーとを備え、ホッパーを揺動させることにより最上位の用紙を給送ローラーに押圧させて記録部に用紙を給送する給送装置を備えた記録装置がある（例えば、特許文献１）。例えば、使用者が、はがきなどのような表面と裏面に印刷可能な用紙に印刷を行うときは、印刷しようとする面を記録部によって印刷される側に向けて用紙をホッパーにセットする。あるいは、写真画質での印刷が可能な面が形成された専用紙に印刷を行うときは、指定された面を記録部によって印刷される側に向けて専用紙をホッパーにセットする。
【先行技術文献】
【特許文献】
【０００３】
【特許文献１】特開２００８−７３２０号公報
【発明の概要】
【発明が解決しようとする課題】
【０００４】
しかしながら、使用者がこのような用紙を給送装置にセットした際に、はがきの印刷しようとする面や専用紙の指定された面を、記録部によって印刷される側と反対側にセットしてしまった場合は、はがきの意図しない面や専用紙の指定されていない面に印刷されてしまい、はがきや専用紙などの用紙が無駄になってしまうという課題がある。
【課題を解決するための手段】
【０００５】
本発明は、上述の課題の少なくとも一部を解決するためになされたものであり、以下の形態または適用例として実現することが可能である。
【０００６】
［適用例１］第１の面の摩擦係数が前記第１の面と反対側の第２の面の摩擦係数より大きい被記録媒体を給送ローラーによって記録部に給送する記録装置であって、載置した前記被記録媒体を前記給送ローラーに対して接離する方向に揺動可能に備えられ、前記給送ローラーに接した前記被記録媒体に荷重を掛ける荷重機構を有する載置部と、前記給送ローラーの給送方向における下流側に設けられ、重なった状態で給送された複数の前記被記録媒体から１枚の前記被記録媒体を分離する分離部と、前記荷重機構と連動し、前記第１の面が前記給送ローラーに接する状態で前記被記録媒体が前記分離部を通過可能な第１の荷重と、前記第２の面が前記給送ローラーに接する状態で前記被記録媒体が前記分離部を通過可能な第２の荷重とを切り替える荷重切り替え機構と、を備え、前記荷重切り替え機構による荷重と前記分離部の抵抗によって、前記被記録媒体が前記分離部で停止することを特徴とする記録装置。
【０００７】
本適用例によれば、荷重切り替え機構による荷重と分離部の抵抗によって、被記録媒体が前記分離部で停止する。これにより、意図した記録面となる第１の面と反対側の第２の面に記録されてしまうことを防止できる。
【０００８】
［適用例２］前記第１の荷重は、前記第２の荷重より小さく設定され、前記第２の面に記録をする際に、前記荷重機構によって前記第１の荷重に設定されているときは、前記第２の面が前記給送ローラーに接する状態で前記被記録媒体の給送が開始されると、前記被記録媒体が前記分離部によって停止することを特徴とする上記記録装置。
【０００９】
本適用例によれば、使用者が第１の面を記録面として印刷しようとするところを、第１の面と反対側の第２の面を記録面となるように被記録媒体を載置部に載置しても、被記録媒体の給送が開始されると、被記録媒体が分離部によって停止される。そのため、被記録媒体が記録部に給送されないので、意図しない面や指定されていない面に記録されてしまい、被記録媒体が無駄になってしまうことを防止できる。
【００１０】
［適用例３］前記被記録媒体の前記給送方向における先端部が前記分離部を通過したか否かを検出する検出部と、メッセージを表示する表示部と、制御部と、を備え、前記制御部は、前記検出部から取得した検出結果において、前記先端部が前記分離部を通過しなかったときは、前記第２の面が記録部によって記録される側に向いた姿勢で、前記被記録媒体が前記載置部に載置されていることを示すメッセージを前記表示部に表示させることを特徴とする上記記録装置。
【００１１】
本適用例によれば、意図した記録面となる第１の面と反対側の第２の面が、記録部によって記録される側に向いて載置されていることを、使用者は容易に認識できる。
【００１２】
［適用例４］前記制御部は、前記第２の面に記録するときは、前記荷重切り替え機構を用いて、前記荷重機構によってかけられる前記荷重を、前記第１の荷重から前記第２の荷重に切り替えることを特徴とする上記記録装置。
【００１３】
本適用例によれば、第２の荷重によって、給送ローラーが被記録媒体の第２の面に接した状態で、被記録媒体を給送可能な給送力を生じさせることができる。
【００１４】
［適用例５］前記荷重の切り替えは、前記給送ローラーへの付勢力によって切り替えられることを特徴とする上記記録装置。
【００１５】
本適用例によれば、被記録媒体を給送するための給送ローラーによる給送力を変化させることができる。
【図面の簡単な説明】
【００１６】
【図１】記録装置の概略構成を示す図。
【図２】給送装置の斜視図。
【図３】ハガキの通信面が給送ローラー側に向いた状態で第１の荷重をかけた場合の動作を説明するための図。
【図４】ハガキの通信面が給送ローラー側に向いた状態で第１の荷重をかけた場合の動作を説明するための図。
【図５】ハガキの宛名面が給送ローラー側に向いた状態で第２の荷重をかけた場合の動作を説明するための図。
【図６】ハガキの宛名面が給送ローラー側に向いた状態で第１の荷重をかけた場合の動作を説明するための図。
【図７】記録装置の電気的な概略構成を示すブロック構成図。
【図８】記録装置で実行されるプログラムの処理の流れを示すフローチャート。
【図９】実施形態２に係る記録装置で実行されるプログラムの処理の流れを示すフローチャート。
【図１０】実施形態３に係る記録装置で実行されるプログラムの処理の流れを示すフローチャート。
【図１１】メッセージの内容を示す図。
【発明を実施するための形態】
【００１７】
以下、記録装置の実施形態について、図面に従って説明する。
（実施形態１）
図１は、記録装置１の概略構成を示す図である。図２は、給送装置１０の斜視図である。図１の被記録媒体としての用紙Ｐは、給送装置１０によって記録部２に給送される。液体としてのインクを噴射する記録ヘッド４は、キャリッジ３の鉛直方向Ｚの下部に備えられ、キャリッジ３は、主走査方向Ｘに往復移動可能に備えられる。
【００１８】
記録ヘッド４の副走査方向Ｙにおける上流側（以降は、上流側という）には、搬送駆動ローラー６と、搬送従動ローラー７とが備えられ、用紙Ｐは、搬送駆動ローラー６と搬送従動ローラー７とに挟持され、記録ヘッド４の下部に設けられた支持部５に支持され、副走査方向Ｙの下流側（以降は、下流側という）に搬送される。
【００１９】
本実施形態の記録部２は、キャリッジ３に備えられた記録ヘッド４、支持部５、搬送駆動ローラー６、搬送従動ローラー７を含んで構成される。下流側に搬送される用紙Ｐに、記録ヘッド４がインクを噴射しながら主走査方向Ｘに往復移動することにより用紙Ｐに文字や画像が記録される。
【００２０】
記録ヘッド４の下流側には、排出駆動ローラー８と、排出従動ローラー９とが備えられ、記録された用紙Ｐは、排出駆動ローラー８と排出従動ローラー９とに挟持され、下流側に排出される。
【００２１】
図２のホッパー１１には、主走査方向Ｘにスライド移動可能な一対のエッジガイド３０が備えられ、エッジガイド３０は、ホッパー１１に載置された用紙Ｐの主走査方向Ｘの両端部の位置を規制する。ホッパー１１の下端側には、給送ローラー軸３９に固定された給送ローラー１３が備えられる。図１の給送ローラー１３は、主走査方向Ｘから見た断面形状がＤ型形状を有し、軸中心１３１を回転中心として回転可能に備えられる。
【００２２】
図１のホッパー１１は、複数枚の用紙Ｐを積層状態で斜めに保持し、揺動軸１１０を支点として回動方向Ｄ１，Ｄ２に揺動可能に備えられる。複数枚の用紙Ｐは、用紙Ｐの下端がホッパー１１の下流側に設けられた壁部１２の支持面１２０に当接した状態でホッパー１１に載置される。ホッパー１１の下端側の上面の主走査方向Ｘにおける中央部には、コルク状の板部材で形成された摩擦部材１１１が設けられている。
【００２３】
ホッパー１１が揺動することにより、ホッパー１１に載置された用紙Ｐの最上部は、給送ローラー１３に当接または離れた状態となる。給送ローラー１３とホッパー１１とによって用紙Ｐが挟圧保持され、この状態で給送ローラー１３が方向Ｄ７に回転することによって、ホッパー１１に載置された最上部の用紙Ｐがピックアップされる。給送ローラー１３によってピックアップされた用紙Ｐは、壁部１２の上面１２１に沿って下流側に搬送され、記録部２に給送される。
【００２４】
壁部１２における支持面１２０の下流側には、分離パッド１７が備えられる。分離パッド１７は、ホッパー１１に載置された用紙Ｐが複数枚重なって送り出されようとする、所謂重送が生じた際に、給送ローラー１３が当接する最上部の１枚の用紙Ｐだけが下流側に給送されるように他の用紙Ｐから分離する分離部を構成する。分離パッド１７は、エラストマー等の弾性素材で形成され、ミクロ的には用紙Ｐの先端がパッド表面に減り込みながら下流に移動する。
【００２５】
分離パッド１７の下流側で搬送駆動ローラー６および搬送従動ローラー７の上流側において、壁部１２の上面１２１の上方には、用紙Ｐの上流側または下流側の端部を検出する検出部１８が備えられる。検出部１８は、受光部（不図示）と発光部（不図示）を備えた光学式である。
【００２６】
図２のホッパー１１の下流側には一対の戻しレバー３８が揺動可能に設けられている。戻しレバー３８の揺動によって、重送された複数の用紙Ｐのうちの最上部以外の用紙Ｐをホッパー１１へ戻すことができる。
【００２７】
駆動伝達系３２は、給送モーター３１と、給送モーター３１の出力ピニオン（不図示）に噛合するギア３３を含む複数のギアを備える。駆動伝達系３２の最後のギア３４はカム軸３６の端部に固定されたカム軸ギア３５に噛合している。給送モーター３１の駆動力は、カム軸３６に形成されたカム（不図示）を介して伝達され、ホッパー１１および戻しレバー３８が揺動する。
【００２８】
図１のホッパー作動部材１４は、図２の基枠１９に支持され、円柱状軸部１４２の中心１４３を支点として方向Ｄ３，Ｄ４に揺動可能に支持される。円柱状軸部１４２における、一方にはホッパー押圧部１４０が形成され、他方にはカム受け部１４４が形成されている。
【００２９】
ホッパー作動部材１４には、線状部材が螺旋状に巻かれて形成されたコイル状バネ１５が備えられる。コイル状バネ１５は、線状部材が螺旋状に巻かれた環状部１５０に円柱状軸部１４２が挿入した状態で備えられる。
【００３０】
ホッパー作動部材１４の下方には、プランジャー１６が備えられる。プランジャー１６は、本体部１６０と、移動部１６１とを有し、本体部１６０は、図２の基枠１９に固定される。図１の本体部１６０には副走査方向Ｙに延びるシリンダー部１６３が形成され、移動部１６１の図面右側は、シリンダー部１６３に挿入した状態で、副走査方向Ｙにおける方向Ｄ５，Ｄ６にスライド移動可能に備えられる。
【００３１】
移動部１６１のスライド移動は、電磁石により駆動され、本体部１６０に対する移動部１６１の副走査方向Ｙにおける位置は、選択的に固定可能である。コイル状バネ１５を形成する線状部材の一方の端部１５１は、ホッパー押圧部１４０に設けられて主走査方向Ｘに突出する突出部１４１に係止され、線状部材の他方の端部１５２は、移動部１６１の図面左側の先端が折れ曲がった形状のフック部１６２に係止される。
【００３２】
副走査方向Ｙにおける移動部１６１の位置が選択的に固定された状態にあるとき、線状部材の端部１５２はフック部１６２によって固定され、突出部１４１に係止された線状部材の端部１５１は、コイル状バネ１５の環状部１５０によって生じる付勢力により、ホッパー押圧部１４０を方向Ｄ３に回動させようとする。これにより、ホッパー押圧部１４０は、ホッパー１１の下端部のホッパー作動部材１４側の面に当接し、ホッパー１１を方向Ｄ１に回動させる方向に押圧する。
【００３３】
本実施形態における荷重機構２０は、ホッパー作動部材１４、コイル状バネ１５を含んで構成される。ホッパー１１の下端部が給送ローラー１３に近づく方向Ｄ１に回動し、ホッパー１１に載置された用紙Ｐが給送ローラー１３に当接した状態で、荷重機構２０は、給送ローラー１３に接した用紙Ｐにホッパー１１を介して荷重を掛ける。
【００３４】
図２のカム軸３６に形成されたカム３７は、図１のホッパー作動部材１４のカム受け部１４４をカムフォロアとしてカム作動するように当接する。カム軸３６の回転に伴うカム３７のカム作用によってホッパー作動部材１４を、円柱状軸部１４２の中心１４３を回動支点として方向Ｄ４に回動させることにより、所定のタイミングでホッパー押圧部１４０をホッパー１１の下方へ退避させる。これにより、ホッパー押圧部１４０によるホッパー１１の下側の面に対する押圧力が解除され、ホッパー１１の自重によりホッパー１１が方向Ｄ２に回動する。
【００３５】
図３、図４は、ホッパー１１に載置されたハガキの通信面が給送ローラー１３側に向いた状態で第１の荷重Ｎ１をかけた場合の動作を説明するための図である。用紙Ｐ１，Ｐ２は、給送ローラー１３に対する、表面と裏面の摩擦係数が異なる用紙である。本実施形態では、表面と裏面の摩擦係数が異なる用紙Ｐ１，Ｐ２の一例として、ハガキに印刷する場合について説明する。ハガキは、通信文が書かれる通信面（表面）と、宛名が書かれる宛名面（裏面）とを有し、通信面の摩擦係数と宛名面の摩擦係数が異なる。尚、説明のため、２枚の用紙Ｐ１，Ｐ２を用いる。
【００３６】
図３の用紙Ｐ１，Ｐ２は、通信面Ｐ１ａ，Ｐ２ａを給送ローラー１３側に向けてホッパー１１に載置される。ホッパー１１は、図１の回動位置から方向Ｄ１に回動する。これにより、用紙Ｐ１，Ｐ２の下端部Ｐ１ｃ，Ｐ２ｃは、壁部１２の支持面１２０に沿って上側に移動した後、給送ローラー１３と壁部１２との間に侵入し、分離パッド１７に当接する。
【００３７】
図１の回動位置にあった給送ローラー１３は、回転方向Ｄ７に回転し、図３に示すように、用紙Ｐ１の通信面Ｐ１ａに当接する。用紙Ｐ１には、荷重機構２０によって第１の荷重Ｎ１がホッパー１１、用紙Ｐ２を介して押圧荷重として作用する。
【００３８】
尚、ホッパー１１に載置される用紙の枚数によって、用紙の重さが異なるので、第１の荷重Ｎ１すなわち用紙Ｐ１に掛かる押圧荷重は、荷重機構２０によってホッパー１１に掛かる荷重から載置された用紙の重さを差し引いたものである。すなわち、第１の荷重Ｎ１は、載置される用紙の重さに対応する押圧荷重として設定されている。
【００３９】
図４の回転する給送ローラー１３と用紙Ｐ１の通信面Ｐ１ａとの摩擦によって下流側に給送しようとする給送力Ｆ１は、分離パッド１７に対する用紙Ｐ１の下端部Ｐ１ｃの摩擦抵抗Ｒ１と、用紙Ｐ２の通信面Ｐ２ａに対する用紙Ｐ１の宛名面Ｐ１ｂの摩擦抵抗Ｒ２との和より大きい。これにより、図４に示すように、給送ローラー１３が回転方向Ｄ７に回転すると、用紙Ｐ１は、下流側に給送される。
【００４０】
給送ローラー１３の回転により用紙Ｐ１が下流側に給送されても、分離パッド１７に対する用紙Ｐ２の下端部Ｐ２ｃの摩擦抵抗により、用紙Ｐ２の下端部Ｐ２ｃは、分離パッド１７の位置で停止し、用紙Ｐ２は下流側に給送されない。
【００４１】
すなわち、給送ローラー１３と壁部１２との隙間に重なった状態にある用紙Ｐ１，Ｐ２は、給送ローラー１３の回転に伴って、用紙Ｐ１，Ｐ２は、分離パッド１７を通過する用紙Ｐ１と、分離パッド１７の位置で停止する用紙Ｐ２とに分離される。分離パッド１７を通過した用紙Ｐ１は、さらに下流に搬送され、記録部２において記録される。
【００４２】
次式（１）に示すように、給送力Ｆ１は、第１の荷重Ｎ１と、給送ローラー１３と通信面Ｐ１ａとの摩擦係数μ１とを積算して得られる関係にある。
Ｆ１＝Ｎ１×μ１      ・・・・・（１）
【００４３】
図５は、ホッパー１１に載置された用紙（ハガキ）Ｐ１，Ｐ２の宛名面Ｐ１ｂ，Ｐ２ｂが給送ローラー１３側に向いた状態で第２の荷重Ｎ２を掛けた場合の動作を説明するための図である。給送ローラー１３は、用紙Ｐ１の宛名面Ｐ１ｂに当接する回動位置にある。
【００４４】
プランジャー１６の移動部１６１は、方向Ｄ６にスライド移動し、移動部１６１におけるフック部１６２は、破線に示した位置から実線に示した位置に移動される。これにより、破線で示したコイル状バネ１５の端部１５２も実線に示したように鉛直方向Ｚに対する傾斜角度が大きくなる。そのため、コイル状バネ１５の環状部１５０において生じる付勢力が増加し、ホッパー作動部材１４のホッパー押圧部１４０によって第２の荷重Ｎ２がホッパー１１に対して掛かる。用紙Ｐ１には、ホッパー１１、用紙Ｐ２を介して第２の荷重Ｎ２が押圧荷重として作用する。尚、ホッパー１１に載置される用紙の枚数によって、用紙の重さが異なるので、第２の荷重Ｎ２は、載置される用紙の重さに対応する押圧荷重として設定されている。
【００４５】
次式（２）に示すように、回転する給送ローラー１３と用紙Ｐ１の宛名面Ｐ１ｂとの摩擦によって下流側に給送しようとする給送力Ｆ２は、第２の荷重Ｎ２と、給送ローラー１３と宛名面Ｐ１ｂとの摩擦係数μ２とを積算して得られる関係にある。
Ｆ２＝Ｎ２×μ２      ・・・・・（２）
【００４６】
図５の給送ローラー１３と宛名面Ｐ１ｂとの摩擦係数μ２は、図４の給送ローラー１３と通信面Ｐ１ａとの摩擦係数μ１より小さい。そこで、第２の荷重Ｎ２は、第１の荷重Ｎ１より大きく設定される。
【００４７】
これにより、回転する給送ローラー１３と用紙Ｐ１の宛名面Ｐ１ｂとの摩擦によって下流側に給送しようとする給送力Ｆ２は、分離パッド１７に対する用紙Ｐ１の下端部Ｐ１ｃの摩擦抵抗Ｒ３と、用紙Ｐ２の宛名面Ｐ２ｂに対する用紙Ｐ１の通信面Ｐ１ａの摩擦抵抗Ｒ４との和より大きい。
【００４８】
従って、宛名面Ｐ１ｂが給送ローラー１３側に向いた状態の用紙Ｐ１は、給送ローラー１３に押圧された状態で、給送ローラー１３の回転に伴って下流側に給送され、記録部２において宛名面Ｐ１ｂに記録される。
【００４９】
このように、図３、図４を用いて説明した第１の荷重Ｎ１は、移動部１６１がシリンダー部１６３から方向Ｄ５に押し出されて図面左側の位置にある状態で荷重機構２０によって用紙Ｐ１に掛かる荷重であり、用紙Ｐ１の通信面Ｐ１ａが給送ローラー１３と当接する状態で、給送ローラー１３の回転により用紙Ｐ１が給送可能な荷重である。
【００５０】
また、図５を用いて説明した第２の荷重Ｎ１は、移動部１６１が図面右側の位置にある状態で荷重機構２０によって用紙Ｐ１に掛かる荷重であり、用紙Ｐ１の宛名面Ｐ１ｂが給送ローラー１３と当接する状態で、給送ローラー１３の回転により用紙Ｐ１が給送可能な荷重である。
【００５１】
また、図３、図４の給送ローラー１３と通信面Ｐ１ａとの摩擦係数μ１は、図５の給送ローラー１３と宛名面Ｐ１ｂとの摩擦係数μ２より大きく、第１の荷重Ｎ１は、第２の荷重Ｎ２より小さく設定される。
【００５２】
ここで、使用者が記録しようと意図した通信面Ｐ１ａ，Ｐ２ａを、記録部２によって記録される側と反対側に向けて用紙Ｐ１，Ｐ２をホッパー１１にセットしてしまった場合について説明する。図６は、ホッパー１１に載置された用紙（ハガキ）Ｐ１，Ｐ２の宛名面Ｐ１ｂ，Ｐ２ｂが給送ローラー１３側に向いた状態で第１の荷重Ｎ１をかけた場合の動作を説明するための図である。すなわち、図６は、使用者が記録しようと意図した通信面Ｐ１ａ，Ｐ２ａを、記録部２によって記録される側と反対側に向けて用紙Ｐ１，Ｐ２をホッパー１１に載置した状態を示す。
【００５３】
荷重機構２０により、第１の荷重Ｎ１がホッパー１１に掛けられた状態では、回転する給送ローラー１３と用紙Ｐ１の宛名面Ｐ１ｂとの摩擦によって下流側に給送しようとする給送力Ｆ３は、次式（３）に示すように、第１の荷重Ｎ１と、給送ローラー１３と宛名面Ｐ１ｂとの摩擦係数μ２とを積算して得られる関係にある。
Ｆ３＝Ｎ１×μ２      ・・・・・（３）
【００５４】
前述したように、第１の荷重Ｎ１は、第２の荷重Ｎ２より小さく設定されている。これにより、図６の第１の荷重Ｎ１が掛かった状態での給送力Ｆ３は、図５の第２の荷重Ｎ２が掛かった状態での給送力Ｆ２より小さい。そのため、図６に示すように、給送ローラー１３が回転方向Ｄ７に回転しても、用紙Ｐ１の下端部Ｐ１ｃは、分離パッド１７の位置にあるままの状態で用紙Ｐ１は下流側に給送されない。
【００５５】
図７は、記録装置１の電気的な概略構成を示すブロック構成図である。記録装置１は制御部６０を備え、制御部６０は、ＲＡＭ７２、ＲＯＭ７３、ＡＳＩＣ（特定用途向け集積回路）７１、ＣＰＵ（中央処理装置）７５、不揮発性メモリー７４、ヘッド駆動回路７６、モーター駆動回路７７，７８，７９を備えている。ＲＡＭ７２、ＲＯＭ７３、ＡＳＩＣ７１、ＣＰＵ７５及び不揮発性メモリー７４は、システムバス７０に接続される。ヘッド駆動回路７６およびモーター駆動回路７７，７８，７９は、ＡＳＩＣ７１に接続されている。
【００５６】
ＲＯＭ７３は、ＣＰＵ７５による記録装置１の制御に必要な記録制御プログラム（ファームウェア）等が格納される。ＲＡＭ７２は、ＣＰＵ７５の作業領域や記録データ等の格納領域として用いられる。ＡＳＩＣ７１は、記録ヘッド４のノズル駆動制御を行うための制御回路と、給送モーター３１、搬送モーター８０、キャリッジモーター８１の速度制御を行うための制御回路とを有する。
【００５７】
ＡＳＩＣ７１は、記録ヘッド４の制御信号をヘッド駆動回路７６に送出し、給送モーター３１、搬送モーター８０、キャリッジモーター８１の制御信号をモーター駆動回路７７，７８，７９にそれぞれ送出する。さらに、ＡＳＩＣ７１は、インターフェイス８２を介してパーソナルコンピューター９０との送受信を行う。ＣＰＵ７５は、記録装置１の記録制御を実行するための演算処理やその他必要な演算処理を行う。不揮発性メモリー７４には、記録制御プログラムの処理に必要な各種データ等が記憶されている。
【００５８】
ＡＳＩＣ７１は、プランジャー１６の駆動制御を行い、図１の移動部１６１の副走査方向Ｙの位置を制御する。ＣＰＵ７５は、ＡＳＩＣ７１を介して検出部１８により用紙Ｐの上流側または下流側の端部を検出する。また、記録装置１には、液晶などで構成される表示部８４が備えられ、ＣＰＵ７５は、ＡＳＩＣ７１を介して表示部８４にメッセージを表示させる。また、記録装置１には、使用者によって操作される操作ボタン（不図示）などの操作部８５が備えられる。
【００５９】
次に、使用者が記録しようと意図した面側を、記録装置１によって記録される側と反対側に用紙をホッパー１１に載置した場合に、記録装置１において実行される処理の方法について説明する。
【００６０】
図８は、記録装置１で実行されるプログラムの処理の流れを示すフローチャートである。使用者が記録しようと意図した面側が通信面Ｐ１ａであるときに、記録部２によって宛名面Ｐ１ｂに記録される側に、用紙Ｐ１をセットしてしまった場合（図６参照）の処理方法について、図８を参照して説明する。
【００６１】
図７のパーソナルコンピューター９０には、記録装置１で記録が実行されるための印刷条件を設定するためのプログラムとしてのプリンタードライバーがインストールされており、使用者はそのプリンタードライバーをマウス（不図示）などの入力機器によって操作し、使用者が記録しようと意図する、用紙の種類および面側の情報を設定する。
【００６２】
ＡＳＩＣ７１は、インターフェイス８２を介して、使用者が意図した用紙の種類および面側の情報をパーソナルコンピューター９０から取得し、ＣＰＵ７５は、取得された用紙の種類および面側の情報を不揮発性メモリー７４に記憶させる。
【００６３】
本実施形態では、使用者はハガキの通信面に印刷しようとする場合であり、不揮発性メモリー７４には、用紙の種類の情報としての「ハガキ」および面側の情報としての「通信面」が、予め記憶されている。
【００６４】
ステップＳ１００では、ＣＰＵ７５は、不揮発性メモリー７４に記憶されている用紙の種類の情報としての「ハガキ」および面側の情報としての「通信面」を取得する。
【００６５】
ステップＳ１１０では、ＣＰＵ７５は、ステップＳ１００で取得した、用紙の種類の情報および面側の情報に基づいて、図７のＡＳＩＣ７１を介してプランジャー１６を駆動させ、荷重機構２０によって「第１の荷重Ｎ１」がホッパー１１に掛かるように設定する。
【００６６】
ステップＳ１２０では、ＣＰＵ７５は、ＡＳＩＣ７１のモーター駆動回路７７の駆動制御により給送モーター３１を駆動させ、給送ローラー１３を回転させて用紙Ｐ１の給送を開始する。
【００６７】
ステップＳ１３０では、ＣＰＵ７５は、図６の検出部１８を用いて用紙Ｐ１の下流側の端部が検出されたか否かを判定する。用紙Ｐ１の下流側の端部を検出したとき（Ｙｅｓ）、すなわち用紙Ｐ１が給送ローラー１３の回転により給送されたと判定したときは、ステップＳ１４０に進み、記録部２において記録処理が行われ、処理が終了する。
【００６８】
用紙Ｐ１の下流側の端部を検出しなかったとき（Ｎｏ）、すなわち用紙Ｐ１が給送ローラー１３の回転により給送されなかったと判定したときは、ステップＳ１５０に進む。ステップＳ１５０では、ＣＰＵ７５は、給送ローラー１３の回転を停止することにより給送を停止し、処理を終了する。
【００６９】
以上、本実施形態で説明した図３の記録装置１は、第１の面としての通信面Ｐ１ａの摩擦係数μ１が通信面Ｐ１ａと反対側の第２の面としての宛名面Ｐ１ｂの摩擦係数μ２より大きい被記録媒体としての用紙（ハガキ）Ｐ１を給送ローラー１３によって記録部２に給送する記録装置１である。
【００７０】
記録装置１は、載置した用紙Ｐ１を給送ローラー１３に対して接離する方向に揺動可能に備えられ、給送ローラー１３に接した用紙Ｐ１に第１の荷重Ｎ１または第２の荷重Ｎ２（図５参照）を掛ける荷重機構２０を有する載置部としてのホッパー１１と、給送ローラー１３の給送方向（副走査方向Ｙ）における下流側に設けられ、重なった状態で給送された複数の用紙Ｐ１，Ｐ２から１枚の用紙Ｐ１を分離する分離部としての分離パッド１７と、荷重機構２０と連動し、図４の通信面Ｐ１ａが給送ローラー１３に接する状態で用紙Ｐ１が分離パッド１７を通過可能な第１の荷重Ｎ１と、図５の宛名面Ｐ１ｂが給送ローラー１３に接する状態で用紙Ｐ１が分離パッド１７を通過可能な第２の荷重Ｎ２とを切り替える荷重切り替え機構としてのプランジャー１６と、を備える。
【００７１】
そして、第１の荷重Ｎ１は、第２の荷重Ｎ２より小さく、図６に示すように、荷重機構２０によって第１の荷重Ｎ１に設定されているときは、宛名面Ｐ１ｂが給送ローラー１３に接する状態で用紙Ｐ１の給送が開始されると、用紙Ｐ１が分離パッド１７によって停止されるように設定される。
【００７２】
この構成によれば、使用者が通信面Ｐ１ａを記録面として印刷しようとするところを、通信面Ｐ１ａと反対側の宛名面Ｐ１ｂを記録面となるように用紙Ｐ１をホッパー１１に載置しても、用紙Ｐ１の給送が開始されると、用紙Ｐ１が分離パッド１７によって停止される。そのため、用紙Ｐ１が記録部２に給送されないので、意図しない宛名面Ｐ１ｂに記録されてしまい、用紙Ｐ１が無駄になってしまうことを防止できる。
【００７３】
第１の荷重Ｎ１、第２の荷重Ｎ２は、用紙Ｐ１における、通信面Ｐ１ａの摩擦係数μ１、宛名面Ｐ１ｂの摩擦係数μ２のそれぞれに対応して設定される。
【００７４】
これにより、通信面Ｐ１ａが給送ローラー１３に接する状態で用紙Ｐ１が分離パッド１７を通過可能な第１の荷重Ｎ１と、宛名面Ｐ１ｂが給送ローラー１３に接する状態で用紙Ｐ１が分離パッド１７を通過可能な第２の荷重Ｎ２とが設定される。さらに、第１の荷重Ｎ１は、第２の荷重Ｎ２より小さく、荷重機構２０によって第１の荷重Ｎ１に設定されているとき、宛名面Ｐ１ｂが給送ローラー１３に接する状態で用紙Ｐ１の給送が開始されると、用紙Ｐ１が分離パッド１７によって停止されるように設定可能である。
【００７５】
（実施形態２）
実施形態２では、使用者が第１の面を記録面として印刷しようとするところを、第１の面と反対側の第２の面を記録面となるように被記録媒体をホッパー１１に載置した場合は、メッセージを表示する記録装置について説明する。
【００７６】
実施形態１と同様に、使用者はハガキの通信面に印刷しようとする場合であり、不揮発性メモリー７４には、図７のパーソナルコンピューター９０にインストールされたプリンタードライバーと制御部６０によって、用紙の種類の情報としての「ハガキ」および面側の情報としての「通信面」が、予め記憶されている。
【００７７】
図９は、実施形態２に係る記録装置で実行されるプログラムの処理の流れを示すフローチャートである。図９は、図８のフローチャートにステップＳ１６０の処理を追加したものである。ステップＳ１００からステップＳ１５０までの処理の内容は、実施形態１で図８を参照して説明した処理の内容と同じである。
【００７８】
ステップＳ１５０において給送が停止された後、ステップＳ１６０に進む。ステップＳ１６０では、ＣＰＵ７５は、使用者が記録しようと意図した第１の面である通信面ではなく、第２の面である宛名面が記録部２によって記録される側に向いていることを示すメッセージを表示部８４に表示し、処理を終了する。具体的には、図１１（ａ）の「印刷しようとする通信面と反対側の宛名面がセットされています。」としてメッセージが表示され、処理を終了する。
【００７９】
以上、本実施形態２で説明した記録装置は、被記録媒体としての用紙Ｐの給送方向（副走査方向Ｙ）における先端部が分離パッド１７を通過したか否かを検出する検出部１８と、メッセージを表示する表示部８４と、制御部６０と、を備え、制御部６０は、検出部１８から取得した検出結果において、先端部が分離パッド１７を通過しなかったときは、第２の面としての宛名面が記録部２によって記録される側に向いた姿勢でホッパー１１に載置されていることを示すメッセージを表示部８４に表示させる。
【００８０】
これにより、意図した記録面となる通信面と反対側の宛名面であることを、使用者は容易に認識できる。本実施形態の記録装置におけるその他の構成は、実施形態１で説明した構成と同じである。
【００８１】
実施形態１，２では、通信面と宛名面を有するハガキを給送する場合について説明したが、例えば、光沢紙などのように写真専用の印刷面を第１の面とする用紙にも適用する。すなわち、第１の荷重Ｎ１、第２の荷重Ｎ２は、複数の種類の被記録媒体における、第１の面の摩擦係数、第２の面の摩擦係数のそれぞれに対応して設定される。
【００８２】
これにより、複数の種類の被記録媒体においても、使用者が第１の面を記録面として印刷しようとするところを、第１の面と反対側の第２の面を記録面となるように被記録媒体をホッパー１１に載置しても、意図しない面や指定されていない面（例えば、光沢紙の印刷面と反対側の面）に記録されてしまい、被記録媒体（光沢紙）が無駄になってしまうことを防止できる。
【００８３】
（実施形態３）
実施形態３では、使用者が、第２の面としての宛名面を記録面として意図し、宛名面が記録部２によって記録される側に向いた姿勢でホッパー１１に載置したにもかかわらず、図７のパーソナルコンピューター９０にインストールされたプリンタードライバーによって、不揮発性メモリー７４に面側の情報として「第１の面としての通信面」が設定されている場合について説明する。
【００８４】
図１０は、実施形態３に係る記録装置で実行されるプログラムの処理の流れを示すフローチャートである。図１０は、図８のフローチャートにステップＳ２００からＳ２５０までの処理を追加したものである。ステップＳ１００からステップＳ１５０までの処理の内容は、実施形態１で図８を参照して説明した内容と同じである。
【００８５】
ステップＳ２００では、ＣＰＵ７５は、第２の面としての宛名面が記録部２によって記録される側に向いていることを示すとともに、宛名面に記録するか否かを確認するメッセージを表示部８４に表示させる。具体的には、表示部８４には、図１１（ｂ）の「印刷しようとする通信面と反対側の宛名面がセットされています。この面に印刷しますか？」としてメッセージが表示される。
【００８６】
ステップＳ２１０では、ＣＰＵ７５は、図７の操作部８５からの情報を取得し、使用者が記録する意図があるか否かを判定する。記録する意図があるときは（Ｙｅｓ）、ステップＳ２２０に進む。記録する意図がないときは（Ｎｏ）、処理を終了する。
【００８７】
ステップＳ２２０では、ＣＰＵ７５は、ＡＳＩＣ７１を介してプランジャー１６を駆動させ、荷重機構２０によって掛かる荷重を、第１の荷重Ｎ１から第２の荷重Ｎ２に切り替えて設定する（設定を変更する）。
【００８８】
ステップＳ２３０では、ＣＰＵ７５は、モーター駆動回路７７を駆動制御し、給送モーター３１を駆動させ、給送ローラー１３の回転による給送を開始する。
【００８９】
ステップＳ２４０では、ＣＰＵ７５は、検出部１８を用いて、用紙Ｐの下流側の端部を検出したか否かを判定する。用紙Ｐの下流側の端部を検出したときは（Ｙｅｓ）、ステップＳ１４０に進み、ステップＳ１４０では、記録部２による記録処理が行われる。ステップＳ２４０において、検出部１８によって用紙Ｐの下流側の端部が検出されないときは（Ｎｏ）、ステップＳ２５０に進む。
【００９０】
検出部１８によって用紙Ｐの下流側の端部が検出されないときは、エラー状態であるので、ステップＳ２５０では、エラー状態であることを示すエラーメッセージを表示部８４に表示させる。
【００９１】
このように本実施形態の記録装置は、使用者が、宛名面に記録しようと意図しているにもかかわらず、面側の情報として「通信面」が不揮発性メモリー７４に記憶されている場合、プランジャー１６によって、荷重機構２０によってかけられる荷重を、第１の荷重Ｎ１から第２の荷重Ｎ２に切り替えれば、使用者が意図した宛名面に容易な操作で印刷することができる。
【００９２】
すなわち、既にパーソナルコンピューター９０から送信されて制御部６０によって受信された印刷データを消去した後、パーソナルコンピューター９０のプリンタードライバーの再度の操作により、面側の情報として「宛名面」を不揮発性メモリー７４に記憶させるための操作を、使用者が行う必要がない。本実施形態の記録装置におけるその他の構成は、実施形態１で説明した構成と同じである。
【符号の説明】
【００９３】
１…記録装置、２…記録部、１１…ホッパー、１３…給送ローラー、１４…ホッパー作動部材、１５…コイル状バネ、１６…プランジャー、１７…分離パッド、１８…検出部、２０…荷重機構、６０…制御部、８４…表示部、Ｐ，Ｐ１，Ｐ２…用紙、Ｐ１ａ，Ｐ２ａ…通信面、Ｐ１ｂ，Ｐ２ｂ…宛名面、Ｎ１…第１の荷重、Ｎ２…第２の荷重、μ１，μ２…摩擦係数。
【図１】
2016117564.tif 000003
【図２】
2016117564.tif 000004
【図３】
2016117564.tif 000005
【図４】
2016117564.tif 000006
【図５】
2016117564.tif 000007
【図６】
2016117564.tif 000008
【図７】
2016117564.tif 000009
【図８】
2016117564.tif 000010
【図９】
2016117564.tif 000011
【図１０】
2016117564.tif 000012
【図１１】
2016117564.tif 000013